(57)【要約】【課題】異電極間の距離（沿面距離）を伸ばし、かつ、コンパクトな放電ランプを提供する。また、屋外でも使用できる放電ランプの口金を提供する。【解決手段】二つのリード線と接続された放電ランプの口金において、一方のリード線と接続されたシェル２０と、他方のリード線と接続された接触部３０と、絶縁体によって形成され、上記シェルと上記先端部との間に配置され、上記シェルと上記先端部との間の壁面へ屈曲部を形成したセラミック部１２とを備え、セラミック部１２は、先端に凹部を備え、上記凹部に接触部３０を配置する。凹部に接触部３０を配置することにより、屋外で放電ランプを利用することを可能にする。また、セラミック部１２は、屈曲部として、段差、溝等を形成し、口金の長さを帰ることなく、シェル２０と接触部３０との間の沿面距離を伸ばすことにより、高圧パルスでの点灯を可能にする。【選択図】　　　　図１
2004071528.tif 000002
【特許請求の範囲】
【請求項１】
二つのリード線と接続された放電ランプの口金において、
一方のリード線と接続されたシェルと、
他方のリード線と接続された先端部と、
絶縁体によって形成され、上記シェルと上記先端部との間に配置され、上記シェルと上記先端部との間の壁面へ屈曲部を形成した絶縁部と
を備えることを特徴とする放電ランプの口金。
【請求項２】
上記屈曲部は、先端部が配置されている側に形成された凹部であり、
上記先端部は、上記凹部の中へ配置されたことを特徴とする請求項１記載の放電ランプの口金。
【請求項３】
上記屈曲部は、少なくとも一つの段差を有することを特徴とする請求項１記載の放電ランプの口金。
【請求項４】
上記屈曲部は、上記絶縁体の壁面に沿って上記シェルと上記先端部とを結ぶ沿面距離を伸ばすように形成されることを特徴とする請求項１記載の放電ランプの口金。
【請求項５】
上記絶縁部は、上記凹部の内側側面に、さらに屈曲部を形成したことを特徴とする請求項２記載の放電ランプの口金。
【請求項６】
上記シェルと上記先端部との間の距離である上記絶縁部の長さ（Ｌ１　）と、上記Ｌ１　と垂直方向の長さになる上記絶縁部の先端部分の厚さ（Ｌ２　）と、上記先端部から上記凹部の底までの距離である上記凹部の長さ（Ｌ３　）との和（Ｌ１　＋Ｌ２　＋Ｌ３　）が１０ｍｍ以上であることと特徴とする請求項２記載の放電ランプの口金。
【請求項７】
絶縁体によって形成され、ソケットと接続する先端部分に凹部を有することを特徴とする放電ランプの口金。
【請求項８】
上記放電ランプの口金は、リード線を接続する先端部を上記凹部の中へ配置することを特徴とする請求項７記載の放電ランプの口金。
【請求項９】
シェルと口金先端部とを有する放電ランプの口金において、
絶縁体によって形成され、シェルと口金先端部との間に配置され、壁面を屈曲させた屈曲部を有することを特徴とする放電ランプの口金。
【請求項１０】
上記屈曲部は、上記壁面に沿ったシェルと口金先端部とを結ぶ沿面距離を伸ばすように形成されることを特徴とする請求項９記載の放電ランプの口金。
【請求項１１】
上記絶縁部が上記シェルと接する部分から上記先端部へ至るまでの沿面距離は、１０ｍｍ以上であることを特徴とする請求項１記載の放電ランプの口金。
【請求項１２】
放電ランプの口金を着脱する放電ランプの受金において、
上記口金の先端部と一端が接触する棒状の電極接触部と、
上記電極接触部の他端と接続されて、上記口金の着脱方向に伸縮可能な、電極線に接続されたバネ状の伸縮部と
を備えることを特徴とする放電ランプの受金。
【請求項１３】
放電ランプの口金を着脱する放電ランプの受金において、
上記口金の先端部と接触する変形しない突起と、上記突起を中央頂部に置いて上記口金の着脱方向に移動可能に保持する弾性体からなるフレア部とを一体形成した電極部と
を備えることを特徴とする放電ランプの受金。
【請求項１４】
放電ランプの口金を着脱する放電ランプの受金において、
上記口金の先端部と一端が接触する電極接触部と、上記電極接触部の他端と接続されて上記口金の着脱方向に伸縮可能な、電極線に接続されたコイルバネ状の伸縮部とを一体形成した電極部とを備え、
上記コイルバネ状の伸縮部は、上記電極接触部と上記電極線との間で同一径を有しており、上記口金の着脱方向に伸縮する場合、同一コイル径を保ったまま上記口金の着脱方向にのみ伸縮する
ことを特徴とする放電ランプの受金。
【請求項１５】
放電ランプの口金を着脱する放電ランプの受金において、
耐熱物質で形成された保護管と、
上記保護管で保護された電極線と、
導電性物質であり耐熱性物質である溶接材で上記電極線の一端に溶接されて形成されて上記口金の先端部と接触する電極接触部と、
上記電極線の他端に接続され、上記口金の着脱方向に伸縮可能なバネ状の伸縮部と
を備えることを特徴とする放電ランプの受金。
【請求項１６】
リード線と接続されたシェルを有する放電ランプの口金を着脱する放電ランプの受金において、
上記口金のシェルと接触する受金導電部と、
上記口金の先端部と接触する電極接触部と、
上記受金導電部と上記電極接触部との間に配置された絶縁体によって形成された受金絶縁部とを備え、
上記受金絶縁部は、上記受金導電部と上記電極接触部との間に屈曲部を備えることを特徴とする放電ランプの受金。
【請求項１７】
リード線と接続されたシェルを有する放電ランプの口金を着脱する放電ランプの受金において、
上記口金のシェルと接触する受金導電部と、
上記口金の先端部と接触する電極接触部と、
上記受金導電部と上記電極接触部との間に配置された突起部とを備え、
上記突起部により上記受金導電部と上記電極接触部とを結ぶ沿面距離を伸ばすことを特徴とする放電ランプの受金。
【発明の詳細な説明】
【０００１】
【発明の属する技術分野】
この発明は、放電ランプの及び放電ランプの口金及び放電ランプの受金に関する。
【０００２】
【従来の技術】
従来例１．
図７は、従来の放電ランプの口金（部分）の一例を示した図である。
１１，１２は、口金の絶縁部分であるセラミック部である。
２０は、口金のシェルである。
３０は、電気的に接触する接触部（電気接触部）である。
また、以下の説明において、ａは、接触部３０を指し、ｂは、シェル２０の端部のうち、口金がソケットと接触する先端部側の端部（口金が発光管と接続する部分とは反対側の端部）を指す。
【０００３】
従来の放電ランプの口金では、Ｌ０　の長さを７ｍｍとした場合、非正弦波による耐電圧特性としては、約９ｋｖである。異電極間の放電は、ａ−ｂ間において発生する。
【０００４】
上記放電ランプの口金を用いた場合、従来の高圧放電ランプには問題なく使用できる。しかしながら、瞬時点灯を可能とするシステム（照明器具）を用いる場合、始動イグナイターから発生する高圧パルス値が１０ｋｖ以上となる。始動イグナイターは、ランプを点灯させるために用い、高圧パルスを発生させる装置である。上記従来の放電ランプの口金（Ｅ口金）は、耐電圧特性が約９ｋｖであることより、上記始動イグナイターを用いる場合は使用することができない。
【０００５】
また、Ｌ０　の長さを伸ばした場合、口金が大きくなってしまう。このため、放電ランプの発光管自体がコンパクトであっても照明器具が大きくなることにより、放電ランプを点灯する装置の小型化が維持できない。
【０００６】
また、図７に一例として示した口金は、屋外で使用した場合、降雨時等に、ソケットと口金の間に湿気が入りこみ、入りこんだ湿気によってａ−ｂ間の放電が発生していた。このため、湿気対策なしの器具に対して放電ランプを屋外で使用することができなかった。
【０００７】
従来例２．
従来の放電ランプの受金として特開平７−１０６０７８号公報に記載された「照明器具」の発明がある。
図２７，２８に従来例２の放電ランプとソケットとを示す。
図２７において、ランプソケット９２が口金導電部９１１を螺合してランプ保持部となる雌ねじ部９２０を有し、中央接点９１９に接触する中央接片９２１を有する。図２８において、口金導電部９１１が雌ねじ部９２０に螺合されると、中央接点９１９が中央接片９２１に接触するが、ランプ接片９１６はスライドボタン９２４を操作しない限り、口金導電部９１１から離れている。スライドボタン９２２を図２８の矢印の方向に移動すると、押圧部９２７でスイッチ接片９１７を押してランプ接片９１６に接触し、さらにランプ接片９１６を押して口金導電部９１１に接触して、図２８の状態になる。
従来例２のランプソケット９２には、図２７，２８に図示した放電ランプ９３の着脱方向に伸縮して、放電ランプが装着されていない場合には図２７のように中央接片９２１の伸縮する部分は伸びている状態であって、放電ランプが装着されている場合には図２８のように中央接片９２１の伸縮する部分は縮んでいる状態である。従って、中央接点９１９と接触する中央接片９２１は、自身を変形させることによって接触をしていると考えられる。
【０００８】
従来例２の中央接片９２１は、図２７，２８のような構造をしているため、口金側の中央接点９１９が屈曲部を有する絶縁体に設置されていると、放電ランプ９３をランプソケット９２に図２８のように装着して、スライドボタン９２２をスライドさせても、屈曲部と中央接片９２１とがぶつかってしまい、中央接点９１９と中央接片９２１とは接触しなくなることが考えられる。
【０００９】
また、図２７，２８に示した放電ランプを屋内で使用した場合、降雨時にソケット内、及び、ソケットの口金との間に湿気が入り込み、入り込んだ湿気によって中央接片９２１，中央接点９１９付近に放電が発生することが考えられる。
【００１０】
【特許文献１】
特開平７−１０６０７８号公報（段落番号［００２４］，［００２５］、第６図，第７図）
【００１１】
【発明が解決しようとする課題】
そこで、この発明は、ランプの全長、特に、口金の寸法を伸ばすことなく、異電極間距離（沿面距離）を伸ばすことができる口金の構造を提供することを目的とする。
【００１２】
また、屋外で使用できる放電ランプに適用できる口金を提供することを目的とする。
【００１３】
また、口金側の中央接点９１９が屈曲部を有する絶縁体に設置されている形状の口金に合う形状を有する受金を提供することを目的とする。
【００１４】
また、屋外で使用できる放電ランプに適用できる受金を提供することを目的とする。
【００１５】
また、受金の寸法を変えることなく、沿面距離を伸ばすことができる受金の構造を提供することを目的とする。
【００１６】
【課題を解決するための手段】
この発明に係る放電ランプの口金は、二つのリード線と接続された放電ランプの口金において、
一方のリード線と接続されたシェルと、
他方のリード線と接続された先端部と、
絶縁体によって形成され、上記シェルと上記先端部との間に配置され、上記シェルと上記先端部との間の壁面へ屈曲部を形成した絶縁部と
を備えることを特徴とする。
【００１７】
上記屈曲部は、先端部が配置されている側に形成された凹部であり、
上記先端部は、上記凹部の中へ配置されたことを特徴とする。
【００１８】
上記屈曲部は、少なくとも一つの段差を有することを特徴とする。
【００１９】
上記屈曲部は、上記絶縁体の壁面に沿って上記シェルと上記先端部とを結ぶ沿面距離を伸ばすように形成されることを特徴とする。
【００２０】
上記絶縁部は、上記凹部の内側側面に、さらに屈曲部を形成したことを特徴とする。
【００２１】
上記シェルと上記先端部との間の距離である上記絶縁部の長さ（Ｌ１　）と、上記Ｌ１　と垂直方向の長さになる上記絶縁部の先端部分の厚さ（Ｌ２　）と、上記先端部から上記凹部の底までの距離である上記凹部の長さ（Ｌ３　）との和（Ｌ１　＋Ｌ２　＋Ｌ３　）が１０ｍｍ以上であることと特徴とする。
【００２２】
この発明に係る放電ランプの口金は、絶縁体によって形成され、ソケットと接続する先端部分に凹部を有することを特徴とする。
【００２３】
上記放電ランプの口金は、リード線を接続する先端部を上記凹部の中へ配置することを特徴とする。
【００２４】
この発明に係る放電ランプの口金は、シェルと口金先端部とを有する放電ランプの口金において、
絶縁体によって形成され、シェルと口金先端部との間に配置され、壁面を屈曲させた屈曲部を有することを特徴とする。
【００２５】
上記屈曲部は、上記壁面に沿ったシェルと口金先端部とを結ぶ沿面距離を伸ばすように形成されることを特徴とする。
【００２６】
上記絶縁部が上記シェルと接する部分から上記先端部へ至るまでの沿面距離は、１０ｍｍ以上であることを特徴とする。
【００２７】
この発明に係る放電ランプの口金を着脱する放電ランプの受金は、
上記口金の先端部と一端が接触する棒状の電極接触部と、
上記電極接触部の他端と接続されて、上記口金の着脱方向に伸縮可能な、電極線に接続されたバネ状の伸縮部と
を備えることを特徴とする。
【００２８】
この発明に係る放電ランプの口金を着脱する放電ランプの受金は、
上記口金の先端部と接触する変形しない突起と、上記突起を中央頂部に置いて上記口金の着脱方向に移動可能に保持する弾性体からなるフレア部とを一体形成した電極部と
を備えることを特徴とする。
【００２９】
この発明に係る放電ランプの口金を着脱する放電ランプの受金は、
上記口金の先端部と一端が接触する電極接触部と、上記電極接触部の他端と接続されて上記口金の着脱方向に伸縮可能な、電極線に接続されたコイルバネ状の伸縮部とを一体形成した電極部とを備え、
上記コイルバネ状の伸縮部は、上記電極接触部と上記電極線との間で同一径を有しており、上記口金の着脱方向に伸縮する場合、同一コイル径を保ったまま上記口金の着脱方向にのみ伸縮する
ことを特徴とする。
【００３０】
この発明に係る放電ランプの口金を着脱する放電ランプの受金は、
耐熱物質で形成された保護管と、
上記保護管で保護された電極線と、
導電性物質であり耐熱性物質である溶接材で上記電極線の一端に溶接されて形成されて上記口金の先端部と接触する電極接触部と、
上記電極線の他端に接続され、上記口金の着脱方向に伸縮可能なバネ状の伸縮部と
を備えることを特徴とする。
【００３１】
この発明に係るリード線と接続されたシェルを有する放電ランプの口金を着脱する放電ランプの受金は、
上記口金のシェルと接触する受金導電部と、
上記口金の先端部と接触する電極接触部と、
上記受金導電部と上記電極接触部との間に配置された絶縁体によって形成された受金絶縁部とを備え、
上記受金絶縁部は、上記受金導電部と上記電極接触部との間に屈曲部を備えることを特徴とする。
【００３２】
この発明に係るリード線と接続されたシェルを有する放電ランプの口金を着脱する放電ランプの受金は、
上記口金のシェルと接触する受金導電部と、
上記口金の先端部と接触する電極接触部と、
上記受金導電部と上記電極接触部との間に配置された突起部とを備え、
上記突起部により上記受金導電部と上記電極接触部とを結ぶ沿面距離を伸ばすことを特徴とする。
【００３３】
【発明の実施の形態】
実施の形態１．
図１は、実施の形態１の放電ランプの口金（部分）の一例を示した図である。
図１の（Ａ）は、口金の一部分を表した図であり、（Ｂ）は、口金アイレット部の断面図である。
図１において、１１，１２は、口金の絶縁部分であるセラミック部である。
２０は、一方のリード線と接続される口金のシェルである。
３０は、他方のリード線と接続され、ソケットと電気的に接触する接触部（電気接触部）である。接触部は、先端部ともいう。
セラミック部１２は、シェル２０と接触部（先端部）３０との間に配置された絶縁部ともいう。
Ｌ１　は、セラミック部１２の長さを示している。
また、ａは、接触部３０がセラミック部１２と接する端部（接触部３０の端部）を指し、ｂは、シェル２０の端部のうち、口金がソケットと接触する先端部側の端部（口金が発光管と接続する部分とは反対側の端部）を指す。
口金アイレットは、口金のシェル２０の端部ｂから口金の接触部３０の端部までを指す。
また、以下の説明では、放電ランプと高圧放電ランプとは特に区別しない。放電ランプに高圧放電ランプが含まれる。
【００３４】
図１の口金では、セラミック部１２に凹部を形成し、形成した凹部に接触部３０を設けている。従って、図１のＬ１　と図７のＬ０　との長さが同じ場合であっても、ａ−ｂ間の直線距離は、図７に示した口金の方が長いが、ａ−ｂ間の沿面距離は、図１の口金の方が長くなる。沿面距離は、壁面に沿った長さ（距離）を指す。電圧の特性を考えて異電極間放電の発生を考える場合、直線距離ではなく、沿面距離が問題となる。
図１に一例を示したように、セラミック部１２に凹部を形成することによって、ａ−ｂ間の沿面距離を長くすることが可能となる。
【００３５】
さらに、セラミック部１２に凹部を形成することにより、屋外で放電ランプを使用することが可能となる。すなわち、セラミック部１２に凹部を形成することにより、屋外で使用する場合に問題となる、ソケットと口金との間への湿気（水分）の侵入を防止することが可能となる。
【００３６】
実施の形態２．
図２は、図１（Ｂ）に示した口金アイレット部の長さを特定した図である。
Ｌ１　＋Ｌ２　＋Ｌ３　の値が、１０ｍｍ以上の場合が好ましい。
一般的に、空気中において、沿面距離（異電極間距離）１ｍｍで耐電圧約１Ｋｖとされている。
このため、上記１０ｍｍの値は、耐電圧特性を１０Ｋｖ以上とした場合、少なくとも沿面距離（異電極間距離）１０ｍｍ以上必要となることに基づいている。
図２では、Ｌ１　，Ｌ２　，Ｌ３　それぞれを、直線距離として表している。
従って、Ｌ１　とＬ２　とＬ３　との和が１０ｍｍ以上であれば充分であるといえることになる。
さらに、図２の例では、Ｌ３　で示した距離の代わりに、凹部内側の沿面距離を用いた場合に、１０ｍｍ以上であれば充分である。
【００３７】
すなわち、セラミック部１２がシェル２０と接する部分から接触部３０に至るまでの沿面距離（セラミック部１２の沿面距離）が１０ｍｍ以上であればよいことになる。
後述するように、セラミック部１２の壁面に屈曲部を設けた場合（または、図２のように、セラミック部に傾斜を設けた場合）等には、セラミック部１２の沿面距離は、図２のＬ１　，Ｌ２　，Ｌ３　の和よりも長い距離にすることが可能になる。
【００３８】
図３は、異電極間距離と耐電圧値の実験データを示したグラフである。
点線は、従来の口金（従来仕様）のデータ値を示し、実線は、この発明に係る口金（新仕様）のデータ値を示している。
上記データが示すように、Ｌ１　寸法（口金アイレット部全長）を従来品の寸法と同等で耐電圧値を従来仕様と比較し、２倍以上の値を得ることが可能となった。これは、口金内側に引き込んでいること、もしくは、口金アイレット部を２段以上としていることにより、Ｌ１　寸法を変えずに異電極間の距離（沿面距離）を伸ばしていることが主な理由となっている。
セラミック部１２の沿面距離が長くなることによって、得られる耐電圧に差が生じているといえる。
【００３９】
実施の形態３．
図４は、実施の形態３の放電ランプの口金（部分）の一例を示した図である。
図１と同じ符号をつけた部分は、図１と同様であるため、説明を省略する。
１３，１４は、絶縁体部分であるセラミック部である。図１のセラミック部１２をセラミック部１３とセラミック部１４との構成に変更したものである。
図１のセラミック部１２に段差をつけ、セラミック部１３とセラミック部１４とによって構成したものであり、図１のセラミック部１２に相当する面積を増やしている。これにより、ａ−ｂ間の沿面距離が延長されることになる。
また、図４では、セラミック部へ一つの段差をつけた例を示したが、段差は、一つ以上の複数であってもかまわない。
【００４０】
実施の形態４．
図５は、図４に示した口金のセラミック部分（口金アイレットの部分）を変形した口金（部分）の一例を示した図である。
（Ａ）、（Ｂ）は、セラミック部分に溝を形成した例である。溝は、（Ａ）に示すように一つでもよいし、（Ｂ）に示すように複数（例えば、３つ）であってもよい。溝の数が増えるほど、沿面距離は伸びることになる。
また、（Ｃ）は、図２のように段差をつけた口金の形状にさらに段差の数を増やした例である。
（Ｄ）は、段差の形状を変化させた例である。
（Ｅ）は、セラミック部分を円柱形状にした例であり、（Ｆ），（Ｇ）は、セラミック部分を円柱形状にし、溝を形成した例である。
（Ｈ）は、セラミック部分を曲線状の屈曲を形成した例である。
【００４１】
図５に示した例は、一例であり、これらに限られることはない。セラミック部分をスクリューの形状にしてもよい。ａ−ｂ間の沿面距離が長くなる形状であれば上記以外の形状であってもよい。
【００４２】
また、図６は、口金に凹部を設けた別の例を示した図である。
（Ａ）は、凹部の形状を円筒の形状にした例であり、（Ｂ）は、その断面図である。
また、（Ｃ）は、図１の口金の外側に溝を設けた例であり、（Ｄ）は、その断面図である。
（Ｅ）は、凹部へ溝を形成した例であり、（Ｆ）は、その断面図である。
（Ｇ）は、口金の外側と凹部との両方に溝を形成した例であり、（Ｈ）は、その断面図である。
（Ｃ）から（Ｈ）の例では、溝を形成した例を示したが、図５に示したように、溝以外のその他の形状の屈曲を形成してもよい。
【００４３】
図５、図６に示したように、口金の形状へ屈曲（段差、溝等を含む）を形成すること、あるいは、口金のセラミック部分へ凹部を形成すること、また、その組合せによって、沿面距離を伸ばすことができる。このようにして、ａ‐ｂ間の放電を防止することが可能となる。
【００４４】
実施の形態５．
この実施の形態５では、放電ランプの受金の構造について一例を説明する。
図８は、放電ランプの受金（部分）の一例を示した図である。
図８（Ａ）は、受金の一部分を表した正面図であり、（Ｂ）は、図８（Ａ）の断面図であり、（Ｃ）は、受金に口金を装着した場合の断面図（ただし、口金は断面図にしていない）である。
図８において、１００は受金の絶縁部分であり、セラミックやプラスチックからなるソケットである。１１０は、ソケットの内側に装着された金属製の受金導電部であり、口金をねじこんで装着された場合に口金のシェル２０と接触するらせん状の凹部を有する部分である。１２０は、電極接触部であり、口金を装着された場合に一端が口金の接触部３０と接触する。１３０は、コイルバネ状の伸縮部であり、電極接触部１２０の他端と接続されて、口金を着脱する方向に伸縮可能である。１２０と１３０とで全体として棒状の形を呈している。１４０は、電極線であり、一端が電極接触部１２０と接続され、他端が電源（図示せず）と接続されている。１５０は、伸縮部支持部であり、伸縮部１３０を接続して支持するものである。１１１は、絶縁体で形成された受金絶縁部であり、受金導電部１１０と電極接触部１２０との間に露出されている。受金導電部１１０は、電極線１４０とは別の電極線１４１と接続されており、受金絶縁部１１１は受金導電部１１０と電極接触部１２０とを絶縁する。また、受金絶縁部１１１は、口金を装着された場合に口金のセラミック部１２と接触する部分である。１１２は、受金絶縁部１１１に設けられた断面がＬ字状の角（以下、段という）である。Ｌ５　は口金が受金に装着されていない場合の伸縮部支持部１５０の底から電極接触部１２０の先端部までの長さであり、Ｌ４　は口金が受金に装着されている場合の伸縮部支持部１５０の底から電極接触部１２０の先端部までの長さである。Ｌ４　とＬ５　との関係は、Ｌ５　＞Ｌ４　である。Ｌ８　は、口金のセラミック部の屈曲部内側の径を示し、Ｌ９　は、電極接触部１２０の径を示し、Ｌ８　とＬ９　との関係は、Ｌ８　＞Ｌ９　である。電極接触部１２０を棒状にすることによって、Ｌ９　をＬ８　よりも容易に小さくできる。
図８に示す受金は、上記実施の形態１の図１に示したシェル２０と先端部との間の壁面へ屈曲部を形成した絶縁体のセラミック部１２を有する口金を装着する受金の一例である。この受金の特徴は、屈曲部（セラミック部１２）の中へ先端部（接触部３０）が配置されている口金を装着する場合に、電極接触部１２０がセラミック部１２とぶつからないように屈曲部分の径（Ｌ８　）よりも電極接触部の径（Ｌ９　）を小さくしたことである。また、別の特徴は、屈曲部分の先端部分と受金絶縁部１１１との間に隙間が発生しないように、受金絶縁部１１１に段（図８（Ｂ）の１１２で示した点線部分）を形成し、屈曲部の断面がＬ字状の先端部分と接触する受金絶縁部１１１の形状を一致させた。また、別の特徴は、口金を挿入されると接触部３０と電極接触部１２０とが接触され、接触状態を保ちながら口金が受金に十分差し込まれるまで伸縮部１３０が口金の挿入方向に縮むことである。また、別の特徴は、伸縮部１３０は、口金が受金から脱着されると、縮んだ状態から脱着側に伸びて図８（Ｂ）に示す状態に戻ることである。
【００４５】
このように、受金に口金を装着する場合に、受金絶縁部１１１に角（図８（Ｂ）の１１２で示した点線部分）を設けると、セラミック部１２の先端部分と受金絶縁部１１１との間に隙間が無くなり、この受金と口金を備えた放電ランプを屋外で使用しても湿気が口金と受金との間に入りにくくなる。このため、放電ランプに対して屋外で使用するための機構を特別に設けることなく、屋内で使用する場合と同じ仕様で放電ランプを屋外で使用できる。
【００４６】
また、図４に示したようなセラミック部１３とセラミック部１４との間に段差のある口金に対応する受金を、図９に示す。図９は、別の放電ランプの受金の一例を示す図である。図９（Ａ）は、別の受金の断面図であり、（Ｂ）は、（Ａ）の受金に口金を装着した場合の断面図である。図９において、１１３は段であり、受金絶縁部１１１に段１１３を設けた点が図８の受金と異なる点である。段１１３は、口金を受金に装着した場合に図４のセラミック部１３とセラミック部１４との境の段差と隙間なく接触する。また、受金絶縁部１１１には、段１１２が設けられ、セラミック部１４の先端部分と隙間のないように接触する。電極接触部１２０と伸縮部１３０と電極線１４０と伸縮部支持部１５０とは、図８と同じである。
【００４７】
このように、電極接触部と伸縮部との形状は同じで、受金絶縁部の形状を口金のセラミック部の形状に合うように形成することが可能である。
【００４８】
また、図５（Ａ）〜（Ｄ）と（Ｈ）に示したセラミック部の形状をした口金に合う受金を図１０に示す。
図１０は、別の受金の一例を示す断面図である。図５の（Ａ）〜（Ｄ）と（Ｈ）に示したセラミック部分には溝（屈曲部）が形成されているが、図１０の受金の受金絶縁部１１１には、溝はない。
【００４９】
また、図５（Ａ）〜（Ｄ）と（Ｈ）に示したセラミック部の形状をした口金を装着する受金の別の例を図１１（Ａ），（Ｂ）に示す。
図１１（Ａ），（Ｂ）は、別の受金の一例を示す断面図である。図１１（Ａ），（Ｂ）において、口金のセラミック部１２の側面をガイドする部分は図１０と同様に受金絶縁部１１１と称して、受金絶縁部１１１の電極接触部１２０の周囲に位置する部分はスライドガイド孔１１４と称する。１１４は、１２０の伸縮方向が直線方向（図において上下方向）になることを保証（ガイド）するものである。１１４の内径は、１２０と１３０の外径と等しいかわずかに大きい値を有している。図１１（Ａ）の受金絶縁部１１１には山形状の凹凸の環状屈曲部が形成され、この点で図１０の受金絶縁部１１１と異なる。図１１（Ｂ）の受金絶縁部１１１には波状の凹凸の屈曲部が形成され、この点で図１０の受金絶縁部１１１と異なる。このように、受金絶縁部１１１に屈曲部を形成することによって、受金導電部１１０と電極接触部１２０とを結ぶ沿面距離を伸ばすことができる。沿面距離を伸ばすことにより、耐電圧特性を従来よりもアップさせることが可能となり、高い電圧をかけてランプを点灯させることができる。
【００５０】
また、図５（Ｅ）〜（Ｇ）に示したセラミック部の形状をした口金に合う受金の別の例を図１２に示す。
図１２は、別の受金の一例を示す断面図である。図５の（Ｆ），（Ｇ）に示したセラミック部分には溝が形成されているが、受金の受金絶縁部１１１には、溝は設けていない。
【００５１】
また、図５（Ｅ）〜（Ｇ）に示したセラミック部の形状をした口金に合う受金の別の例を図１３に示す。
図１３（Ａ），（Ｂ）は、別の受金の一例を示す断面図である。図１３（Ａ），（Ｂ）において、口金のセラミック部１２をガイドする部分は図１１と同様に受金絶縁部１１１と称して、受金絶縁部１１１の電極接触部１２０の周囲に位置する部分はスライドガイド孔１１４と称する。図１３（Ａ）の受金絶縁部１１１には山形状の凹凸の環状屈曲部が形成され、この点で図１２の受金絶縁部１１１と異なる。図１３（Ｂ）の受金絶縁部１１１には波状の凹凸の屈曲部が形成され、この点で図１２の受金絶縁部１１１と異なる。このように、受金絶縁部１１１に屈曲部を形成することによって、受金導電部１１０と電極接触部１２０とを結ぶ沿面距離を伸ばすことができる。沿面距離を伸ばすことにより、耐電圧特性を従来よりもアップさせることが可能となり、高い電圧をかけてランプを点灯させることができる。水分を溜めることができる。
【００５２】
実施の形態６．
この実施の形態では、別の形状の電極接触部を備える放電ランプの受金の一例を説明する。
図１４は、電極接触部の一例を示す図であり、（Ａ）は電極接触部の正面図、（Ｂ）は受金の断面図、（Ｃ）は受金に口金を装着した場合の断面図である。（Ｂ），（Ｃ）は断面図であるが、電極接触部は正面から見ているように図示している。
図１４（Ａ）の電極接触部１２０は、金属製であり、棒状である。伸縮部１３０は、金属製であり、口金の着脱方向に伸縮可能なバネ状をしている。電極接触部１２０と伸縮部１３０は別々の金属でそれぞれ成形して２つを結合してもいいし、１つの金属片から電極接触部１２０と伸縮部１３０とを成形しても良い。図１４（Ａ）に口金を装着する場合にかかる圧力の方向を矢印で示す。電極接触部１２０に対して矢印の方向に圧力が掛けられると、伸縮部１３０が圧力の方向に縮んで、電極接触部１２０と伸縮部１３０とは点線で示すようになる。図１４（Ｂ）の受金は、電極接触部１２０と伸縮部１３０とが図８の受金と異なり、その他は図８の受金と同様である。図１４（Ｂ）に示すように、電極接触部１２０の先端は、スライドガイド孔１１４よりも受金導電部１１０側に突出するように設置される。伸縮部１３０の一端は電極接触部１２０を接続して、他端は電極線１４０を接続する。Ｌ６　は、口金が装着されていない場合の伸縮部１３０の低辺から電極接触部１２０の先端までの高さである。Ｌ７　は、口金が装着されている場合の伸縮部１３０の低辺から電極接触部１２０の先端までの高さである。図１４（Ｂ）の受金に口金が装着されると、図１４（Ｃ）のように口金の接触部３０と電極接触部１２０とが接触し、接触状態のままさらに口金が押し込まれると伸縮部１３０には図１４（Ａ）の矢印の方向に圧力がかかる。伸縮部１３０の低辺から電極接触部１２０の先端までの高さは、圧力を掛けられることによってＬ６　からＬ７　に変化する（Ｌ６　＞Ｌ７　）。口金が受金から脱着されると、伸縮部１３０は脱着方向に伸びて、伸縮部１３０の低辺から電極接触部１２０の先端までの高さがＬ７　からＬ６　に戻る。
【００５３】
電極接触部１２０は棒状であって、口金の接触部３０が設置されている凹部の径よりも電極接触部１２０の径を小さくしている。このため、口金の接触部３０が凹部の内側に設置されていても、電極接触部１２０が凹部の内側に入ることができ、接触部３０と確実に接触できる。また、伸縮部１３０が口金の着脱方向に伸縮するので、口金を適切な位置まで挿入できる。
【００５４】
実施の形態７．
この実施の形態では、別の形状の電極接触部を備える放電ランプの受金の一例を説明する。
図１５は、電極接触部の一例を示す図であり、（Ａ）は電極接触部の正面図、（Ｂ）は電極接触部の斜視図、（Ｃ）は受金の断面図、（Ｄ）は受金に口金を装着した場合の断面図である。（Ｃ），（Ｄ）は断面図であるが、電極接触部をわかりやすくするため、電極接触部を正面から見たように図示している。
図１５の電極部１２２は、中央頂部に置いた突起１２１と、その突起を口金の着脱方向に移動可能に保持する弾性体からなるフレア部１３１とを一体形成したものである。突起１２１付近は変形せず、図の点線の円の部分に示したフレア部１３１が変形する。突起１２１とフレア部１３１とは１つの金属片から成形されている。図１５の受金に口金が装着されると、図１５（Ａ）に図示した矢印の方向に圧力がかかる。圧力が掛けられると、電極部１２２は、フレア部１３１が変形して、図１５（Ａ）の点線で示したような形状になる。図１５（Ｃ）に示すように、突起１２１の近傍に電極線１４０が接続される。受金の電極部１２２の他の部分は、図８と同じである。Ｌ６　は、受金に口金が装着されていない状態の電極部１２２の頂部からフレア部１３１の底辺までの高さである。受金に口金が装着されると、図１５（Ｄ）のように、突起１２１と接触部３０とが接触し、接触状態のまま図１５（Ａ）の矢印の方向に圧力が掛けられて、フレア部１３１が変形し、電極部１２２の高さがＬ７　になる（Ｌ６　＞Ｌ７　）。
【００５５】
この実施の形態の電極部は、突起とフレア部とを一体形成しているので、電極部の部品の形成工程が複数の部品を組み合わせたり結合する工程よりも簡単になる。
【００５６】
また、電極部１２２は、図１６（Ａ）のように、フレア部１３１を４つ組み合わせて十字にしてもかまわない。また、電極部１２２は、図１６（Ｂ）のように、フレア部１３１を３つ組み合わせて３つ又にしても良い。フレア部１３１を３つ以上組み合わせることによって、フレア部が２つの場合よりも突起１２１の部分の面積を大きくできるので、口金が装着されて圧力が掛けられた際に突起部と口金の接触部とがずれることなく接触できる。
また、電極部１２２は、図１６（Ｃ）のように、円盤状の金属から突起１２１とフレア部１３１とを形成してもかまわない。
また、突起１２１は、図１６（Ｄ）のように、口金の接触部と接触する面（電極部１２２の頂部）が平らに形成されてもかまわない。この場合、図１６（Ａ）の電極部１２２と同様に突起１２１は変形せずにフレア部１３１が変形する。
【００５７】
実施の形態８．
この実施の形態では、別の形状の電極接触部を備える放電ランプの受金の一例を説明する。
図１７は、電極部の一例を示す図であり、（Ａ）は電極部の斜視図、（Ｂ）は受金の断面図、（Ｃ）は受金に口金を装着した場合の断面図である。
図１７（Ａ）の電極部１２２は、一端が口金の接触部３０と接触する電極接触部１２０と、電極接触部の他端と接続されて口金の着脱方向に伸縮可能な、電極線に接続されたコイルバネ状の伸縮部１３０とを一体形成してなる。口金が受金に装着されると、図１７（Ａ）の矢印の方向に圧力が掛けられる。圧力が掛けられると、伸縮部１３０は圧力と同じ方向に縮んで変形する。この時、伸縮部１３０は縮む前と後とでは、同じ径を有する。図１７（Ｂ）のＬ６　は、口金が装着されていない状態の電極部１２２の頂点から底辺までの高さを示す。口金が受金に装着されると、口金の接触部３０が電極接触部１２０と接触して、接触状態のまま伸縮部１３０に対して図１７（Ａ）の方向に圧力が掛けられる。圧力が掛けられると、伸縮部１３０は圧力の方向に縮んで伸縮部１３０の高さがＬ７　に変化する（Ｌ６　＞Ｌ７　）。
【００５８】
このように、電極部１２２は、コイルバネ状の伸縮部と電極接触部とを一体形成してもかまわない。
【００５９】
実施の形態９．
この実施の形態では、電極線を耐熱性物質の溶接材で溶接して電極接触部を形成する例を説明する。
図１８は、電極線の断面図である。
図１９は、溶接材の耐熱性を比較した図である。
図１８において、電極線１４０は、一端を耐熱性の溶接材で溶接されて、電極接触部１２０を形成されている。電極接触部１２０は、受金に口金が装着された場合に口金の接触部３０と接触する。電極線１４０の他端は、口金の着脱方向に伸縮可能なバネ状の伸縮部１３０と接続されている。電極線１４０は、耐熱物質で形成された保護管１６０によって保護されている。
電極線１４０を溶接する際に使用する溶接材は、図１９に示すように「プラズマ溶接」、「銀ろう」、「ハンダ」等が考えられ、記載した上から順に耐熱性が「大」から「小」へ変化する。
【００６０】
溶接されて形成された電極接触部１２０の形状は、図１８では頂部が円形であった。しかし、図２０（Ａ）のように頂部がとがっている形状や、図２０（Ｂ）のように頂部がクローバー形や、図２０（Ｃ）にように頂部が矢印形であってもかまわない。また、保護管は図２０（Ｃ）のようになくてもかまわない。
【００６１】
このように、電極接触部は、電極線の一端に溶接されて形成されてもかまわない。また、電極線を耐熱物質で保護してもかまわない。
【００６２】
実施の形態１０．
この実施の形態では、受金導電部と電極接触部との間に突起部を配置する受金について説明する。
図２１（Ａ）〜（Ｃ）はそれぞれ、突起部を形成した受金の一例の断面図である。
図２１（Ａ）において、１７０は、環状突起部であり、他は図８と同様である。
図２１（Ａ）には、受金に口金を装着した場合に、口金のセラミック部の最先端と接触する受金の段１１２の近傍に、突起部１７０が配置されている。電極接触部１２０を中心に周囲３６０゜に電極接触部１２０の周囲３６０度に電極接触部１２０を取り囲むように突起部１７０を配置することによって、いずれの方向においても受金導電部１１０と伝極接触部１２０とを結ぶ沿面距離を伸ばすことが可能となる。
なお、突起部１７０は、電極接触部１２０を中心に左右にそれぞれ１つずつ、あるいは、複数配置されていてもいい。
【００６３】
図２１（Ｂ）において、１７１は受金に配置された突起部、１８０は口金に配置された突起受け部であり、その他は図８と同じである。
図２１（Ｂ）には、図２１（Ａ）と同様に、受金に口金を装着した場合に、口金のセラミック部の最先端と接触する受金の段１１２の近傍に、突起部１７１が配置されている。また、突起部１７１が電極接触部１２０を中心に環状に、電極接触部１２０の周囲３６０度に電極接触部１２０を取り囲むように配置されている他に、口金のセラミック部１２の先端に突起部１７１を差し込まれる突起受け部１８０が図示されている。この場合、突起受け部１８０は、接触部３０の周囲３６０度に配置される溝となる。突起部１７１を配置することによって、受金導電部１１０と電極接触部１２０とを結ぶ沿面距離を伸ばすことが可能となり、さらに、突起受け部１８０を配置することによって口金のシェルと先端部とを結ぶ沿面距離を伸ばすことが可能となる。
突起部１７１は、電極接触部１２０を中心に左右にそれぞれ１つずつ又は複数配置されていてもいい。
【００６４】
図２１（Ｃ）において、１７０と１７１とは受金の突起部であり、１８０は口金の突起受け部である。図２１（Ｃ）の受金と口金とは、図２１（Ａ）の突起部１７０と図２１（Ｂ）の突起部１７１と突起受け部１８０とを併せ持っている。このため、受金導電部１１０と電極接触部１２０とを結ぶ沿面距離を図２１（Ａ）及び（Ｂ）よりもさらに伸ばすことが可能である。また、口金のシェルと先端部を結ぶ沿面距離を、図２１（Ｂ）と同様に伸ばすことが可能となる。
【００６５】
このように、沿面距離を伸ばすことによって、耐電圧特性を向上させることが可能となり、高い電圧をかけてランプを点灯させることができる。
【００６６】
また、突起部１７０は１つであっても、複数（３つ以上）であってもかまわない。
また、突起部１７１は１つであっても、複数（３つ以上）であってもかまわない。この場合口金の突起受け部１８０は、突起部１７１の数に比例して配置させる。
【００６７】
実施の形態１１．
この実施の形態では、口金の別の形状を説明する。
図２２（Ａ）は、口金のセラミック部１２と接触部３０の断面図である。図２２（Ｂ）は、受金と口金の断面図である。
図２２の口金はシェル２０の形状がスクリュー状ではなくその側面が凹凸のないストレートな形状であることと、接触部３０がセラミック部１２の凹部の内側の中央付近ではなく、凹部の内側側面に配置されていることが、図８の口金と異なる点である。シェル２０の側面をストレートな形状にしたため、口金を受金に装着する場合に、接触部３０は凹部の中央付近にあるよりも凹部の左右いずれかの側面に配置されていたほうが、接触部３０と電極接触部１２０とは接触後にはなれにくくなる。
【００６８】
また、受金は突起部１７０を備えていてもかまわない。
図２３は、図２２（Ｂ）の受金に突起部１７０を備えた。突起部１７０を備えることによって、受金導電部１１０と電極接触部１２０とを結ぶ沿面距離を伸ばすことが可能となる。
図２４は、図２２（Ｂ）の受金に突起部１７１を備え、口金に突起受け部１８０を備えた。突起部１７１を備えることによって、受金側は受金導電部１１０と電極接触部１２０とを結ぶ沿面距離を伸ばすことが可能となるとともに、突起受け部１８０を備えることによって、口金側はシェルと先端部とを結ぶ沿面距離を伸ばすことが可能となる。
また、受金に口金を装着する場合に、突起部１７１を突起受け部１８０に差し込む構造とすることによって、口金と受金との接着力を向上できる。
図２５は、図２２（Ｂ）の受金に突起部１７０と１７１とを備え、口金に突起受け部１８０を備えた。突起部１７０と１７１とを備えることによって図２３、或いは図２４の受金よりもさらに受金導電部１１０と電極接触部１２０とを結ぶ沿面距離を伸ばすことが可能となる。
【００６９】
このように、口金のシェルはスクリュー状でなくてもかまわないし、また、口金の接触部は凹部の中央付近ではなく、凹部の別の場所に配置されていてもかまわない。また、口金の接触部が凹部のいずれの場所に配置されていても、受金は突起部を備えることが可能であるとともに、口金は突起受け部を備えることが可能である。
【００７０】
実施の形態１２．
この実施の形態では、図６に図示した（Ａ）〜（Ｈ）それぞれの先端部に突起受け部を配置する例を説明する。
図２６は、図６の（Ａ）〜（Ｈ）それぞれの先端部に突起受け部を配置した図である。（Ａ），（Ｃ），（Ｅ），（Ｇ）は正面図、（Ｂ），（Ｄ），（Ｆ），（Ｈ）は断面図である。
図２６に図示したように、先端部であるセラミック部１２にさらに突起受け部１８０を配置することによって、シェルと接触部とを結ぶ沿面距離を伸ばすことが可能となる。
突起受け部１８０は、接触部３０を中心に左右に２つ配置したが、突起受け部１８０は１つでもいいし、３つ以上であってもかまわない。
【００７１】
【発明の効果】
この発明に係る口金によれば、口金の長さ（ランプの全長）、特に口金アイレット部分の長さを伸ばすことなく、異電極間の距離（沿面距離）を伸ばすことができる。これによって、耐電圧特性を１０ｋｖ以上とすることが可能となり、高い電圧をかけてランプを点灯させることができる。
【００７２】
また、ランプの全長を伸ばすことなく耐電圧特性を向上させることにより、耐電圧性の高い、かつ、コンパクトな照明システム（照明装置）を実現することができる。
【００７３】
また、口金の耐電圧性を向上させることにより、瞬時再始動を可能とする点灯システム、例えば、１０ｋｖの高圧パルスを発生する始動イグナイターとの組合せを用いることができる。
【００７４】
また、口金の接触部を、口金に形成した凹部に配置することによって、口金とソケットとの間に入りこむ湿気を削減することができる。これにより、従来の点灯システム（安定器）を用いて、屋外でランプを使用することができるＥ型口金を提供することができる。
【００７５】
この発明に係る受金によれば、電極接触部の他端にバネ状の伸縮部を接続した。このため、例えば口金の先端部が口金のシェルと先端部との間の凹部の内側に配置されていても、バネ状伸縮部が凹部の深さ以上に伸縮するので、口金の電極部と受金の電極接触部とが接触された状態で伸縮部が口金の装着方向に縮んで、口金の電極部と受金の電極接触部とを確実に接続できる。また、接続された電極部の周囲は壁面で囲まれるので、放電ランプを屋外で使用しても、湿気が電極部付近に入ることを防ぐことができる。
【００７６】
この発明に係る受金によれば、口金の先端部と接触する変形しない突起と、突起を中央頂部において口金の着脱方向に移動可能に保持する弾性体からなるフレア部とを一体形成した電極部を備えた。このため、例えば口金の先端部が口金のシェルと先端部との間の凹部の内側に配置されていても、口金の電極部と受金の電極部とが接触された状態でフレア部が変形して、口金の電極部と受金の電極部とを確実に接続できる。また、接続された電極部の周囲は壁面で囲まれるので、放電ランプを屋外で使用しても、湿気が電極部付近に入ることを防ぐことができる。また、突起とフレア部を一体形成するので例えば１つの金属片から容易に形成できる。
【００７７】
この発明に係る受金によれば、電極接触部とコイルバネ状の伸縮部とを一体形成した電極部を備えた。このため、例えば口金の先端部が口金のシェルと先端部との間の凹部の内側に配置されていても、口金の先端部と受金の電極部とが接触された状態でコイルバネ状の伸縮部が口金の装着方向に縮んで、口金の先端部と受金の電極部とを確実に接続できる。また、接続された電極部の周囲は壁面で囲まれるので、放電ランプを屋外で使用しても、湿気が電極部付近に入ることを防ぐことができる。また、電極部と伸縮部とを一体形成するので、例えば１つの金属片から容易に形成できる。
【００７８】
この発明に係る受金によれば、電極線の他端にバネ状の伸縮部を接続した。例えば口金の先端部が口金のシェルと先端部との間の凹部の内側に配置されていても、口金の先端部と受金の電極接触部とが接触された状態でバネ状の伸縮部が口金の装着方向に縮んで、口金の先端部と受金の電極接触部とを確実に接続できる。また、電極線を耐熱物質の保護管で保護したので、電極線が熱せられても電極線の周囲に熱が伝わることを防ぐことができる。
【００７９】
この発明に係る受金によれば、受金絶縁部は、受金導電部と電極接触部との間に屈曲部を備える。このため、受金導電部と電極接触部とを結ぶ沿面距離を伸ばすことが可能となる。また、受金の内部に結露が発生しても、水滴が屈曲部に溜まるので、接触部に水滴がつくことを防ぐことができる。
【００８０】
この発明に係る受金によれば、受金導電部と電極接触部との間に突起部を備えたので、受金導電部と電極接触部との間の沿面距離を伸ばすことができる。
【図面の簡単な説明】
【図１】実施の形態１の放電ランプの口金（部分）の一例を示した図である。
【図２】図１（Ｂ）に示した口金アイレット部の長さを特定した図である。
【図３】異電極間距離と耐電圧値の実験データを示したグラフである。
【図４】実施の形態３の放電ランプの口金（部分）の一例を示した図である。
【図５】図４に示した口金のセラミック部分（口金アイレットの部分）を変形した口金（部分）の一例を示した図である。
【図６】口金に凹部を設けた別の例を示した図である。
【図７】従来の放電ランプの口金（部分）の一例を示した図である。
【図８】（Ａ）は実施の形態５の受金の一部分を表した表面図であり、（Ｂ）は図８（Ａ）の断面図であり、（Ｃ）は、受金に口金を装着した場合の断面図。
【図９】（Ａ）は実施の形態５の別の受金の断面図であり、（Ｂ）は（Ａ）の受金に口金を装着した場合の断面図。
【図１０】実施の形態５の別の受金の一例を示す断面図。
【図１１】（Ａ），（Ｂ）は実施の形態５の別の受金の一例を示す断面図。
【図１２】実施の形態５の別の受金の一例を示す断面図。
【図１３】（Ａ），（Ｂ）は実施の形態５の別の受金の一例を示す断面図。
【図１４】実施の形態６の電極接触部の一例を示す図であり、（Ａ）は電極接触部の正面図、（Ｂ）は受金の断面図、（Ｃ）は受金に口金を装着した場合の断面図。
【図１５】実施の形態７の電極接触部の一例を示す図であり、（Ａ）は電極接触部の正面図、（Ｂ）は電極接触部の斜視図、（Ｃ）は受金の断面図、（Ｄ）は受金に口金を装着した場合の断面図。
【図１６】実施の形態７のフレア部の別の例を示す斜視図。
【図１７】実施の形態８の電極部の一例を示す図であり、（Ａ）は電極部の斜視図、（Ｂ）は受金の断面図、（Ｃ）は受金に口金を装着した場合の断面図。
【図１８】実施の形態９の電極線の断面図。
【図１９】実施の形態９の溶接材の耐熱性を比較した図。
【図２０】実施の形態９の別の電極線の断面図。
【図２１】（Ａ）〜（Ｃ）はそれぞれ、実施の形態１０の突起部を配置された受金の一例の断面図。
【図２２】（Ａ）は実施の形態１１の口金のセラミック部と接触部の断面図であり、（Ｂ）は受金と口金の断面図。
【図２３】図２２（Ｂ）の受金に突起部を備えた断面図。
【図２４】図２２（Ｂ）の受金に突起部を備え断面図。
【図２５】図２２（Ｂ）の受金に突起部を備え、口金に突起受け部を備えた断面図。
【図２６】図６の（Ａ）〜（Ｈ）それぞれの先端部に突起受け部を配置した図。
【図２７】従来例２の放電ランプとソケットとを示す図。
【図２８】従来例２の放電ランプとソケットとを示す図。
【符号の説明】
１１，１２，１３，１４　セラミック部、２０　シェル、３０　接触部、１００　ソケット、１１０　受金導電部、１１１　受金絶縁部、１１２，１１３　段、１１４　スライドガイド孔、１２０　電極接触部、１２１　突起、１２２　電極部、１３０　伸縮部、１３１　フレア部、１４０　電極線、１５０　伸縮部支持部、１６０　保護管、１７０，１７１　突起部、１８０　突起受け部。
【図１】
2004071528.tif 000003
【図２】
2004071528.tif 000004
【図３】
2004071528.tif 000005
【図４】
2004071528.tif 000006
【図５】
2004071528.tif 000007
【図６】
2004071528.tif 000008
【図７】
2004071528.tif 000009
【図８】
2004071528.tif 000010
【図９】
2004071528.tif 000011
【図１０】
2004071528.tif 000012
【図１１】
2004071528.tif 000013
【図１２】
2004071528.tif 000014
【図１３】
2004071528.tif 000015
【図１４】
2004071528.tif 000016
【図１５】
2004071528.tif 000017
【図１６】
2004071528.tif 000018
【図１７】
2004071528.tif 000019
【図１８】
2004071528.tif 000020
【図１９】
2004071528.tif 000021
【図２０】
2004071528.tif 000022
【図２１】
2004071528.tif 000023
【図２２】
2004071528.tif 000024
【図２３】
2004071528.tif 000025
【図２４】
2004071528.tif 000026
【図２５】
2004071528.tif 000027
【図２６】
2004071528.tif 000028
【図２７】
2004071528.tif 000029
【図２８】
2004071528.tif 000030